(57)【要約】【課題】小形化することができ、しかも小さな力で開蓋することができ、耐久性に優れ化粧料等が溜まりにくい化粧料容器を提供する。【解決手段】上面に化粧皿収容凹部が形成された容器本体１と、この容器本体１の上面を蓋する蓋体２とを備え、容器本体１の一端部に係合凸部１４ａを設け、蓋体２の一端部に係合爪２ａを設け、容器本体１の他端部に蓋体２の他端部を回動自在に連結した化粧料容器であって、容器本体１と蓋体２との間に、容器本体１の他端側から一端側に向かって移動可能な薄板３を配設し、この薄板３を容器本体１の一端側に向かって押圧することにより上記薄板３を容器本体１の一端側に移動可能に構成し、容器本体１の一端部の、上記係合凸部１４ａの近傍部分に、容器本体１の他端側に向かって下り傾斜状に傾斜する前側傾斜面１４ｂを形成し、薄板３の一端部の部分に、上記移動時に上記前側傾斜面１４ｂに摺接する摺接用傾斜面２２を形成している。【選択図】図８
2007159783.tif 000002
【特許請求の範囲】
【請求項１】
上面に化粧料収容孔部が形成された容器本体と、上記容器本体の上面を蓋する蓋体とを備え、上記容器本体の一端部に係合部を設け、上記蓋体の一端部に、上記係合部に着脱自在に係合する被係合部を設け、上記容器本体の他端部に上記蓋体の他端部を回動自在に連結した化粧料容器であって、上記容器本体と蓋体との間に、上記容器本体の他端側から一端側に向かって移動可能な可動体を配設し、この可動体の他端部を上記容器本体の他端側に延設して上記容器本体もしくは蓋体の他端部に露呈させ、この露呈する可動体の部分を上記容器本体の一端側に向かって押圧することにより上記可動体を上記容器本体の一端側に移動可能に構成し、上記容器本体の一端部の、上記係合部の近傍部分に、上記容器本体の他端側に向かって下り傾斜状に傾斜する第１傾斜面を形成し、上記第１傾斜面に対応する上記可動体の一端部の部分に、上記移動時に上記第１傾斜面に摺接する第２傾斜面を形成したことを特徴とする化粧料容器。
【請求項２】
上記容器本体の一端部に切欠き凹部を形成し、この切欠き凹部の奥面に上記係合部を設けるとともに、上記奥面に対向する面に上記第１傾斜面を形成した請求項１記載の化粧料容器。
【発明の詳細な説明】
【技術分野】
【０００１】
本発明は、片手で開蓋することのできる化粧料容器に関するものである。
【背景技術】
【０００２】
一般に、化粧料容器は、図１７に示すように、化粧料５２が収容された容器本体５１と、この容器本体５１の上面を蓋する蓋体５３とを備えており、上記容器本体５１の後端部に蓋体５３の後端部が連結ピン５４によりヒンジ連結されたもので構成されている。そして、閉蓋状態では、上記容器本体５１の前端部に形成された係合突起５１ａに、上記蓋体５３の前端部から垂下する係合爪５３ａを着脱自在に係合させておき、使用の際には、上記蓋体５３を上方に押し上げて上記係合を解除するようにしている。
【０００３】
ところが、上記使用の際には、一方の手指で容器本体５１を持ち、他方の手指で蓋体５３を上方に押し上げ、係合突起５１ａと係合爪５３ａとの係合をこじ開けるようにして解除しなければならない。このため、開蓋動作が煩雑であるとともに、片手で上記係合を解除することができない。また、上記係合が固い場合には、蓋体５３を上方に押し上げる力が強すぎて蓋体５３が勢いよく開き、容器本体５１内の化粧料５２が飛び散るという事態が生じてしまう。
【０００４】
そこで、片手で開蓋することのできる化粧料容器として、図１８に示すようなコンパクトが提案されている。このコンパクトは、上面に２つの凹部５５ａ，５５ｂが形成された容器本体５５と、この容器本体５５の後端部に回動自在に連結された蓋体５６と、この蓋体５６の下面に前後方向にスライド自在に固定さた薄板５７とを備えており、上記容器本体５５の上面の左右両側縁の前端部分に左右一対の嵌合凹部５８（図では、左側の嵌合凹部５８しか図示せず）が形成され、これら両嵌合凹部５８の前面が、後方に向かって下り傾斜のテーパ面５８ａに形成されている。また、上記薄板５７には、その左右両側面の前端部分から、上記両嵌合凹部５８に着脱自在に嵌合する左右一対の嵌合凸部５９が突設されており、これら両嵌合凸部５９の前面が、前方に向かって上り傾斜のテーパ面５９ａに形成されている。また、上記薄板５７には、その後端縁の略中央から押圧片５７ａが延設されており、閉蓋状態では、上記蓋体５６の後端部に切欠き形成された凹み部５６ｂから後方に突出している。図において、５５ｃは上記容器本体５５の前壁から立設された係合爪で、５６ａは上記蓋体５６の前壁から垂下する係合突起で、６０は軸棒である。
【０００５】
そして、開蓋時には、上記薄板５７の押圧片５７ａを手指で前方に押圧し、上記薄板５７を前方にスライドさせることを行う。これにより、上記薄板５７の両嵌合凸部５９のテーパ面５９ａが上記容器本体５５の両嵌合凹部５８のテーパ面５８ａに摺接しながら上記薄板５７が斜め上方に移動し、これに伴なって上記蓋体５６が斜め上方に持ち上げられて上記係合が解除される（例えば、特許文献１参照）。
【特許文献１】実開平５−３９４０７号公報
【発明の開示】
【発明が解決しようとする課題】
【０００６】
しかしながら、上記コンパクトでは、上記薄板５７の左右両側面から左右一対の嵌合凸部５９が突設されているため、これら両嵌合凸部５９の分だけ上記薄板５７の左右幅が長くなり、これにより、（両嵌合凸部５９に嵌合する両嵌合凹部５８が形成された）上記容器本体５５の上面の左右幅も長くしなければならず、コンパクト全体が大形化する。しかも、上記薄板５７の左右両側面の前端部分から上記両嵌合凸部５９を突設しているため、上記薄板５７の後端縁の押圧片５７ａを前方に押圧しても、この押圧力が、上記両嵌合凸部５９を斜め外側に押圧する力としても作用し、上記両嵌合凸部５９を前方に押圧する力としては少ししか作用せず、大きな力で薄板５７を押圧する必要がある。しかも、上記左右幅が長くなるのを防止するため、上記薄板５７の両嵌合凸部５９の左右幅を短く（すなわち肉厚を小さく）するとともに、上記容器本体５５の両嵌合凹部５８の左右幅を短くすると、上記したように、上記両嵌合凸部５９に対しこれを斜め外側に押圧する力が作用するため、上記両嵌合凸部５９が左右に撓んで歪みやすく、開蓋しにくくなったり、両嵌合凹部５８，両嵌合凸部５９が破損等しやすくなったりして、耐久性に劣る。しかも、上記両嵌合凹部５８，両嵌合凸部５９により凹凸が多い形状になっており、構造が複雑化するうえ、これら両嵌合凹部５８，両嵌合凸部５９に化粧料や塵芥等が溜まりやすい。
【０００７】
本発明は、このような事情に鑑みなされたもので、小形化することができ、しかも、小さな力で開蓋することができ、耐久性に優れ、化粧料等が溜まりにくい化粧料容器の提供をその目的とする。
【課題を解決するための手段】
【０００８】
上記の目的を達成するため、本発明の化粧料容器は、上面に化粧料収容孔部が形成された容器本体と、上記容器本体の上面を蓋する蓋体とを備え、上記容器本体の一端部に係合部を設け、上記蓋体の一端部に、上記係合部に着脱自在に係合する被係合部を設け、上記容器本体の他端部に上記蓋体の他端部を回動自在に連結した化粧料容器であって、上記容器本体と蓋体との間に、上記容器本体の他端側から一端側に向かって移動可能な可動体を配設し、この可動体の他端部を上記容器本体の他端側に延設して上記容器本体もしくは蓋体の他端部に露呈させ、この露呈する可動体の部分を上記容器本体の一端側に向かって押圧することにより上記可動体を上記容器本体の一端側に移動可能に構成し、上記容器本体の一端部の、上記係合部の近傍部分に、上記容器本体の他端側に向かって下り傾斜状に傾斜する第１傾斜面を形成し、上記第１傾斜面に対応する上記可動体の一端部の部分に、上記移動時に上記第１傾斜面に摺接する第２傾斜面を形成したという構成をとる。
【発明の効果】
【０００９】
すなわち、本発明の化粧料容器は、上面に化粧料収容孔部が形成された容器本体と、上記容器本体の上面を蓋する蓋体とを備えている。そして、上記容器本体の一端部に係合部を設け、上記蓋体の一端部に、上記係合部に着脱自在に係合する被係合部を設け、上記容器本体の他端部に上記蓋体の他端部を回動自在に連結した化粧料容器であって、上記容器本体と蓋体との間に、上記容器本体の他端側から一端側に向かって移動可能な可動体を配設し、この可動体の他端部を上記容器本体の他端側に延設して上記容器本体もしくは蓋体の他端部に露呈させ、この露呈する可動体の部分を上記容器本体の一端側に向かって押圧することにより上記可動体を上記容器本体の一端側に移動可能に構成し、上記容器本体の一端部の、上記係合部の近傍部分に、上記容器本体の他端側に向かって下り傾斜状に傾斜する第１傾斜面を形成し、上記第１傾斜面に対応する上記可動体の一端部の部分に、上記移動時に上記第１傾斜面に摺接する第２傾斜面を形成している。したがって、本発明の化粧料容器では、上記容器本体と蓋体の間に配設した可動体を、上記容器本体もしくは蓋体の他端部から一端側に向かって押圧して上記容器本体の一端側に移動させることができ、この移動により、上記容器本体の一端部に形成した（上記容器本体の他端側に向かって下り傾斜状に傾斜する）第１傾斜面と、上記可動体の一端部に形成した（上記第１傾斜面に摺接するよう、上記容器本体の一端側に向かって上り傾斜状に傾斜する）第２傾斜面と摺接させ、この第２傾斜面に沿って上記可動体を斜め上向きに移動させ、これに伴って上記可動体の上側にある蓋体を斜め上向きに回動させて上記係合を外し、開蓋できるようにしている。
【００１０】
このように、本発明の化粧料容器では、上記容器本体の一端部の、上記係合部の近傍部分に第１傾斜面を形成しているため、上記容器本体の一端部から他端側に向かう方向（例えば、前後方向）に対し直交する方向（例えば、左右方向）に、上記容器本体を長くする（例えば、左右幅を長くする）必要がない。しかも、上記容器本体の係合部の近傍部分にはフックピース等を配設することが多いため、そのための大きなスペースが必要とされることが多く、このような個所に、容器本体の一端部から他端側に向かう方向（例えば、前後方向）に第１傾斜面を形成しても、化粧料容器全体があまり大形化しない。しかも、上記容器本体の一端部の、上記係合部の近傍部分に第１傾斜面を形成しているため、上記係合部，第１傾斜面が１個所に集中して形成されており、上記可動体を上記容器本体の一端側に押圧すると、その押圧力の大部分が、第１傾斜面およびこれに摺接する第２傾斜面を上記容器本体の一端部から他端側に向かう方向（例えば、前後方向）に押圧する力として作用し、小さな力で可動体を押圧して開蓋することができる。
【００１１】
しかも、上記容器本体の一端部の、上記係合部の近傍部分に第１傾斜面を形成しているため、この第１傾斜面およびこれに対応する第２傾斜面を、上記直交する方向（例えば、左右方向）に長く形成しても、この方向に上記容器本体を長くすることなく、上記両傾斜面を必要な長さに形成することができ、これにより、開蓋時に上記容器本体の一端部や可動体の一端部が撓んだり、破損等したりすることがなく、耐久性に優れる。しかも、上記したように、上記容器本体の一端部の、上記係合部の近傍部分に上記両傾斜面が集中しており、凹凸が少ない形状であるため、構造が簡単化するうえ、化粧料や塵芥等が溜まりにくい。
【００１２】
また、上記容器本体の一端部に切欠き凹部を形成し、この切欠き凹部の奥面に上記係合部を設けるとともに、上記奥面に対向する面に上記第１傾斜面を形成すると、上記容器本体の一端部に形成した切欠き凹部を利用して係合部および第１傾斜面を形成することができ、凹凸が少なく、構造が簡単化する。
【発明を実施するための最良の形態】
【００１３】
つぎに、本発明の実施の形態を図面にもとづいて詳しく説明する。ただし、これに限定されるわけではない。
【００１４】
図１および図２は本発明の化粧料容器の一実施の形態を示している。この実施の形態では、上記化粧料容器は、合成樹脂製の容器本体１と、この容器本体１の上面を蓋する合成樹脂製の蓋体２と、この蓋体２に前後方向にスライド自在に固定された合成樹脂製の薄板（可動体）３と、上記容器本体１と蓋体２とを回動自在に連結する合成樹脂製もしくは金属製の連結ピン４とで構成されている（図３参照）。
【００１５】
上記容器本体１は、図３に示すように、平面視略長方形に形成された皿状体からなり、その上面に化粧皿収容凹部（化粧料収容孔部）１ａと化粧用具収容凹部１ｂが前後に並べた状態で形成されている。すなわち、上記皿状体を構成する略長方形環状の周側壁１１の内部空間が仕切壁１２により前後に仕切られており、この仕切壁１２の前後空間がそれぞれ化粧皿収容凹部１ａと化粧用具収容凹部１ｂとに形成されている。そして、上記化粧皿収容凹部１ａに、化粧料５ａが充填された化粧皿５が収容されており、化粧用具収容凹部１ｂにパフ等の化粧用具（図示せず）が収容されている。
【００１６】
また、上記容器本体１には、その上面の左右両側縁部に、その前後両端間にわたって一直線状に延びる左右一対の帯状突部１３が相対向状に立設されており、これら両帯状突部１３の内側部分が段差部１３ａ（図３では、左側の段差部１３ａしか図示せず）に形成されている。そして、閉蓋状態では上記段差部１３ａに上記蓋体２の下端部が収まるようにしている。
【００１７】
また、上記容器本体１には、その周側壁１１のうちの前側壁（一端部）１１ａの中央部分に、その前側面およびこれに続く上側面が開口する前側切欠き形成部１４が切欠き形成されており、この前側切欠き形成部１４の奥面に、上記蓋体２の係合爪２ａが着脱自在に係合する係合凸部（係合部）１４ａが突設されている。また、上記前側切欠き形成部１４は、その前側面が、後方に向かって下り傾斜状に傾斜する前側傾斜面（第１傾斜面）１４ｂに形成されているとともに、その底面が水平面１４ｃに形成されており（図４参照）、上記前側傾斜面１４ｂに上記薄板３の摺接用傾斜面２２が摺動自在に当接し、上記水平面１４ｃに上記薄板３の水平面２３が当接している。
【００１８】
また、上記周側壁１１には、その後側壁（他端部）１１ｂの左右両側部分に、その後側面およびこれに続く上下両側面が開口する左右一対の後側切欠き形成部１５が切欠き形成されており、これら両後側切欠き形成部１５に上記蓋体２の両連結部１８が回動自在に配設されている。また、上記両後側切欠き形成部１５間に切り残された上記後側壁１１ｂの部分（すなわち、上記後側壁１１ｂの中央部分）が連結支受部１６に形成されており、この連結支受部１６の後部の、上記両連結部１８の貫通穴１８ａに対応する部分に、上記連結支受部１６を左右方向に貫通する状態で上面開放状の凹条１６ａが形成されている。そして、この凹条１６ａと、この凹条１６ａの上部（上面開口部）を蓋する蓋材１６ｂ（図４参照）とで軸孔１７が形成されている。
【００１９】
上記蓋体２には、その下面に上記薄板３が前後方向にスライド可能に固定されている。より詳しく説明すると、上記蓋体２には、その下面の左右両縁部から左右一対の帯状側壁１９が相対向状に垂設されており、これら両帯状側壁１９の内側面上部に左右一対のガイド溝部１９ａ（図３では、左側のガイド溝部１９ａしか図示せず）が相対向状に形成されている。そして、これら両ガイド溝部１９ａに、上記薄板３の両ガイド突条２５が遊嵌状に係合しており、これにより、上記蓋体２の下面に薄板３が前後方向にスライド可能に取り付けられている。
【００２０】
また、上記蓋体２には、その前端部（一端部）の中央部分から、上記容器本体１の係合凸部１４ａに着脱自在に係合する係合爪（被係合部）２ａ（図５参照）が垂設されているとともに、その左右両側部に、上記薄板３の左右両側板部２１ｂを挿通しうる左右一対の切欠き部２０が切欠き形成されている。また、上記蓋体２には、その後端部（他端部）の左右両側部分から、上記容器本体１の両後側切欠き形成部１５に回動自在に収容される左右一対の連結部１８が垂設されており、これら両連結部１８間を上記薄板３の押圧部２４が挿通しうるようにしている。また、上記蓋体２の後端面には、円弧状に湾曲する湾曲部２ｂが形成されており、この湾曲部２ｂに上記薄板３の押圧部２４が突出して外部に露呈するようにしている（図１参照）。
【００２１】
上記薄板３には、その前端部（一端部）に、上記容器本体１の前側切欠き形成部１４内に収まる枠状摺接部２１が前方に突設されている（図６参照）。この枠状摺接部２１は略コ字状の枠体に形成されており、この枠体で囲まれた中央孔２１ｃを上記蓋体２の係合爪２ａが挿通しうるようにしている。また、上記枠状摺接部２１は、その略コ字状の前板部２１ａの下面が、上記前側傾斜面１４ｂに摺接しうる（すなわち、前方に向かって上り傾斜状に傾斜する）摺接用傾斜面（第２傾斜面）２２に形成されている。また、上記枠状摺接部２１の略コ字状の左右両側板部２１ｂの下面は、上記摺接用傾斜面２２に続く摺接用傾斜面２２に形成されているとともに、その底面が、上記容器本体１の前側切欠き形成部１４の水平面１４ｃに当接する水平面２３に形成されている。
【００２２】
また、上記薄板３には、その後端縁の中央部分から後方に、閉蓋状態で上記蓋体３の湾曲部２ｂから突出する押圧部２４が延設されており、その後端面は、手指をかけやすくするために円弧状に切欠き形成されている。図３において、６は上記薄板３の下面に貼着された鏡で、２５は上記薄板３の左右両側面上部から突設される左右一対のガイド突条（図３では、右側のガイド突条２５しか図示せず）である。
【００２３】
上記連結ピン４は、図１８に示すコンパクトの軸棒６０と同様の構造をしており、それ自体の外周面に軸心方向に沿つて１条の突条２５ａが形成された丸棒状の軸体２５と、この軸体２５の左右両端に取り付けられた左右一対の丸棒状のねじり軸部２６とで構成されている。また、上記連結ピン４には、その内部に、図７に示すように、細長い環が折り曲げ形成された針金２７が、その端部をそれぞれ上記両ねじり軸部２６の端面に固着された状態で取り付けられており、上記軸体２５の両ねじり軸部２６との連結部分には、それぞれグリス２８が塗布されている。
【００２４】
そして、上記連結ピン４が容器本体１の軸孔１７と蓋体２の両連結部１８の貫通穴１８ａと挿通されており、これにより、容器本体１と蓋体２とが回動自在に連結されている。ここで、上記連結ピン４を上記軸孔１７と上記両貫通穴１８ａとに配挿することは、上記両ねじり軸部２６を上記両貫通穴１８ａ内にそれぞれ嵌挿し、上記容器本体１に対し蓋体２を約１３５°開いた状態で、上記軸体２５を容器本体１の凹条１６ａに配設し、この凹条１６ａの上部に蓋材１６ｂを固着することにより行われる。この状態では、上記軸体２５の突条２５ａが、図４に示すように、凹条１６ａと蓋材１６ｂとからなる前側角部に嵌合しており、これにより、軸体２５が容器本体１の連結支受部１６に固定された状態になっている。また、左側ねじり軸部２６の外周面に形成された突起（図示せず）が、左側連結部１８の貫通穴１８ａの内周面に形成された角部１８ｂに嵌合しており、これにより、左側ねじり軸部２６が左側連結部１８に固定された状態になっている。
【００２５】
上記の構成において、不使用時には、容器本体１の係合凸部１４ａに蓋体２の係合爪２ａを係合させて閉蓋状態にしておく。これにより、左側連結部１８に固定されている左側ねじり軸部２６が前方に約１３５°回動し、連結ピン４内の針金２７がねじれた状態になる。なお、この閉蓋状態では、上記蓋体２の下面に固定された薄板３の摺接用傾斜面２２が容器本体１の前側切欠き形成部１４の前側傾斜面１４ｂに当接し、その水平面２３が上記前側切欠き形成部１４の水平面１４ｃに当接している（図４参照）。
【００２６】
この閉蓋状態から開蓋する場合には、上記薄板３の押圧部２４を手指で前方に押圧し、薄板３を前方にスライド移動させる。これにより、図８に示すように、上記前側傾斜面１４ｂに当接している摺接用傾斜面２２が上記前側傾斜面１４ｂに沿って前方に（斜め上方に）移動する（図８中の矢印参照）。そして、上記蓋体２の前端部が上記薄板３の移動によって斜め上方に持ち上げられ上記係合が解除される。その結果、左側ねじり軸部２６が針金２７のねじれた状態から復元する力に付勢されて上記蓋体２が自動的に後方に回動してゆっくりと開蓋し、容器本体１から１３５°開いた状態になる。
【００２７】
上記のように、この化粧料容器では、上記容器本体１の前側壁１１ａの前側切欠き形成部１４に係合凸部１４ａ，前側傾斜面１４ｂが集中して形成されているため、上記容器本体１を左右方向に長くする必要がないうえ、上記薄板３を前側に押圧する押圧力の大部分が、上記前側切欠き形成部１４に対し上記薄板３の摺接用傾斜面２２を前方に押圧する力として作用し、小さな力で開蓋することができる。しかも、上記容器本体１の前側切欠き形成部１４に前側傾斜面１４ｂを形成しているため、上記両傾斜面１４ｂ，２２を左右方向に長く形成しても、この方向に上記容器本体１を長くせずとも、上記両傾斜面１４ｂ，２２を必要な長さに形成することができ、これにより、開蓋時に上記両傾斜面１４ｂ，２２が撓んだり、破損等したりすることがなく、耐久性に優れる。しかも、上記前側切欠き形成部１４を利用して上記係合凸部１４ａや両傾斜面１４ｂ，２２を形成しているため、凹凸が少ない形状であり、構造が簡単化するうえ、化粧料や塵芥等が溜まりにくい。しかも、上記薄板３を前方に押圧するだけで、上記係合を解除して開蓋することができる。
【００２８】
図９および図１０は本発明の化粧料容器の他の実施の形態を示している。この実施の形態では、上記化粧料容器は、合成樹脂製の容器本体３１と、この容器本体３１の上面を蓋する合成樹脂製の蓋体３２と、上記容器本体３１と蓋体３２との間に前後方向にスライド自在に配設された合成樹脂製の中皿（可動体）３３と、上記容器本体１と蓋体２とを回動自在に連結する合成樹脂製もしくは金属製の左右一対の連結ピン（図示せず）とで構成されている（図１１参照）。
【００２９】
上記容器本体３１は、図１２に示すように、平面視略四角形に形成された皿状体からなり、その上面に、パフ等の化粧用具（図示せず）を収容する化粧用具収容凹部３１ａが形成されている。すなわち、上記皿状体を構成する略四角形環状の周側壁３５の内部空間が化粧用具収容凹部３１ａに形成されている。また、上記周側壁３５のうちの前側壁（一端部）３５ａの中央部分に、その前側面およびこれに続く上側面が開口する前側切欠き形成部１４（図１３参照）が切欠き形成されている。この前側切欠き形成部１４の形状は、上記実施の形態における容器本体１の前側切欠き形成部１４と同様であり、その説明を省略する。
【００３０】
また、上記周側壁３５には、その後側壁（他端部）３５ｂの中央部分に、その後側面およびこれに続く上下両側面が開口する後側切欠き形成部３１ｂが切欠き形成されており、この後側切欠き形成部３１ｂの左右両側部分に、これを貫通するようにして、上記各連結ピンの一部を挿通する左右一対の挿通孔３１ｃが穿設されている。
【００３１】
上記蓋体３２には、図１４に示すように、その周側壁の後端部（他端部）の左右両側部分から、上記容器本体３１の後側切欠き形成部３１ｂ（のうち左右両側部分）に回動自在に収容される左右一対の連結部３６が垂設されており、これら両連結部３６間に上記中皿３３の中間連結部４０が配設されるようにしている。また、上記蓋体３２には、その周側壁の後端部のうち、上記両連結部３６間に対応する部分が、その下面から半円弧状に切欠き形成されており、この切欠き形成部３２ａに、上記中皿３３の押圧部４３を収容しうるようにしている。
【００３２】
また、上記両連結部３６には、その外側部分（すなわち、右側連結部３６の右側部分および左側連結部３６の左側部分）に、上記各連結ピンの他部を挿通する左右一対の挿通凹部３６ａ（図１３では、左側の挿通凹部３６ａは図示せず）が形成されている。また、上記両連結部３６には、その内側面（すなわち、右側連結部３６の左側面および左側連結部３６の右側面）に、その前側面から後方に向かって所定個所（上記各挿通凹部３６ａに対応する部分）まで先細り状に延びる係合溝部３７（図１５参照）が相対向状に形成されている。
【００３３】
上記中皿３３は、図１６に示すように、平面視略四角形に形成された化粧料収容部３９と、この化粧料収容部３９の後端縁から垂設される中間連結部４０と、上記化粧料収容部３９の前端縁から突設される枠状摺接部２１（図１１参照）とで構成されている。この枠状摺接部２１の形状（図１５参照）は、上記実施の形態における薄板３の枠状摺接部２１と同様であり、その説明を省略する。
【００３４】
上記化粧料収容部３９は、（内部に化粧料４１ａが充填された）化粧皿４１を保持する有底角筒状の保持部４２と、この保持部４２の外周面から突設される略四角形環状の鍔部４２ａとからなり、この鍔部４２ａが上記容器本体３１の上面（上記周側壁３５の上面）に前後方向に摺動自在に載置されている。
【００３５】
上記中間連結部４０は、上記鍔部４２ａの後端縁から垂設されており、その左右両側面から、上記両係合溝部３７に摺動自在にかつ回動自在に係合するピン４０ａが相対向状に突設されている。これら両ピン４０ａは、上記両係合溝部３７内にその先端開口部３７ａから挿入され（図１５参照）、両係合溝部３７内では、その先端開口部３７ａと奥部（上記各挿通凹部３６ａに対応する部分）との間で摺動自在でかつどの個所でも回動自在になっており、奥部に到達すると、これに回動自在にかつ着脱自在に係合するように構成されている。また、上記中間連結部４０には、その上面後部から押圧部４３が立設されており、閉蓋状態で上記蓋体３２の切欠き形成部３２ａ内に収容されているとともに、その後側面が外部に露呈している。それ以外の部分は上記実施の形態と同様であり、同様の部分には同じ符号を付している。
【００３６】
上記の構成において、閉蓋状態から開蓋する場合には、中皿３３の押圧部４３を手指で前方に押圧し、中皿３３を前方にスライド移動させることを行う。これにより、容器本体３１の前側傾斜面１４ｂに当接している枠状摺接部２１の摺接用傾斜面２２が上記前側傾斜面１４ｂに沿って前方に移動しながら斜め上方に回動する（図８中の矢印参照）。そして、この回動に伴って上記蓋体３２の前端部が斜め上方に持ち上げられ上記係合が解除され、開蓋することができる。この実施の形態でも、上記実施の形態と同様の作用・効果を奏する。
【００３７】
なお、図１〜図８に示す実施の形態では、上記容器本体１に化粧皿収容凹部１ａを形成しているが、これに限定するものではなく、上記容器本体１に化粧皿５収容用の貫通孔を穿設し、この貫通孔に化粧皿５を着脱自在に収容してもよいし、上記化粧皿収容凹部１ａに直接化粧料５ａを収容してもよい。図９〜図１６に示す実施の形態についても同様である。
【００３８】
また、図１〜図８に示す実施の形態において、連結ピン４を通常の丸棒状の同径のピンで構成してもよい（すなわち、図９〜図１６に示す実施の形態と同様の連結構造にしてもよい）し、図９〜図１６に示す実施の形態において、その連結構造を、図１〜図８に示す実施の形態の連結構造と同様にしてもよい。また、上記両実施の形態では、押圧部２４，４３を蓋体２，３２の後端部から突出させて外部に露呈させているが、容器本体１，３１の後端部から突出させて外部に露呈させてもよい。
【図面の簡単な説明】
【００３９】
【図１】本発明の化粧料容器の一実施の形態を示す斜視図である。
【図２】上記化粧料容器の開蓋状態を示す斜視図である。
【図３】上記化粧料容器の分解斜視図である。
【図４】上記化粧料容器の断面図である。
【図５】蓋体の斜視図である。
【図６】薄板の斜視図である。
【図７】連結ピンの断面図である。
【図８】上記化粧料容器の作用を示す要部の断面図である。
【図９】本発明の化粧料容器の他の実施の形態を示す斜視図である。
【図１０】上記化粧料容器の要部の斜視図である。
【図１１】上記化粧料容器の開蓋状態を示す斜視図である。
【図１２】容器本体の斜視図である。
【図１３】上記化粧料容器の要部の断面図である。
【図１４】蓋体の斜視図である。
【図１５】上記蓋体の連結部の説明図である。
【図１６】中皿の斜視図である。
【図１７】従来例を示す断面図である。
【図１８】他の従来例を示す分解斜視図である。
【符号の説明】
【００４０】
１  容器本体
２  蓋体
２ａ  係合爪
３  薄板
１４ａ  係合凸部
１４ｂ  前側傾斜面
２２  摺接用傾斜面
【図１】
2007159783.tif 000003
【図２】
2007159783.tif 000004
【図３】
2007159783.tif 000005
【図４】
2007159783.tif 000006
【図５】
2007159783.tif 000007
【図６】
2007159783.tif 000008
【図７】
2007159783.tif 000009
【図８】
2007159783.tif 000010
【図９】
2007159783.tif 000011
【図１０】
2007159783.tif 000012
【図１１】
2007159783.tif 000013
【図１２】
2007159783.tif 000014
【図１３】
2007159783.tif 000015
【図１４】
2007159783.tif 000016
【図１５】
2007159783.tif 000017
【図１６】
2007159783.tif 000018
【図１７】
2007159783.tif 000019
【図１８】
2007159783.tif 000020